(57)【要約】【課題】  カムスライドに装着された工具による加工精度の向上を図ることができると共にカムスライドを円滑に移動させることができるカム装置を提供すること。【解決手段】  吊りカムタイプのカム装置１は、カムドライバ支持基台２に固定的に支持されるようになっているカムドライバ３と、カムドライバ３に接してＸ及びＹ方向に移動されるようになっていると共にＸ及びＹ方向において後方に位置する小径孔４及び小径孔４に連通していると共にＸ及びＹ方向において小径孔４よりも前方に位置している大径孔５が形成されているカムスライド６と、カムスライド６がカムドライバ３に接してＸ及びＹ方向に移動されるようにカムスライド６をＸ及びＹ方向に移動自在に支持する支持手段７と、支持手段７に移動自在に支持されたカムスライド６を当該カムスライド６の初期位置に復帰させるようにＹ方向に向かって弾性的に付勢する弾性付勢部材８とを具備している。【選択図】図１
2006095560.tif 000002
【特許請求の範囲】
【請求項１】
カムドライバと、このカムドライバに接して移動されるようになっていると共に後方に位置する小径孔及びこの小径孔に連通していると共に小径孔よりも前方に位置している大径孔が形成されているカムスライドと、このカムスライドがカムドライバに接して移動されるようにカムスライドを移動自在に支持する支持手段と、この支持手段に移動自在に支持されたカムスライドを当該カムスライドの初期位置に復帰させるように弾性的に付勢する弾性付勢部材とを具備しており、支持手段は、カムスライドの移動方向に伸びて大径孔に部分的に挿入されていると共に当該大径孔に挿入されている部位でカムスライドの前部を滑動自在に支持している筒状部及びこの筒状部の前端部を閉塞していると共に貫通孔が形成されている閉塞板部を有している筒状部材と、カムスライドの移動方向に伸びて小径孔、大径孔、筒状部の中空部及び閉塞板部の貫通孔に挿通されており、小径孔に挿通されている部位でカムスライドの後部を滑動自在に支持していると共に貫通孔に挿通されている部位で筒状部材を支持しているロッドと、閉塞板部から前方に突出しているロッドの前端部が装着されている前壁部及び小径孔から後方に突出しているロッドの後端部が装着されている後壁部を有しているカムスライド支持基台とを具備しているカム装置。
【請求項２】
閉塞板部は、前壁部に接触又は固定されるようになっている請求項１に記載のカム装置。
【請求項３】
筒状部の外周面は、大径孔においてカムスライドの前部を滑動自在に支持するようになっている請求項１又は２に記載のカム装置。
【請求項４】
ロッドの前端部は、カムスライド支持基台の前壁部に挿抜自在に嵌装されており、ロッドの後端部は、カムスライド支持基台の後壁部に着脱自在に装着されている請求項１から３のいずれか一項に記載のカム装置。
【請求項５】
弾性付勢部材は、筒状部の中空部及びカムスライドの大径孔に配されている請求項１から４のいずれか一項に記載のカム装置。
【請求項６】
弾性付勢部材は、筒状部の内径よりも小さい外径を有していると共にロッドの径よりも大きな内径を有しており、一端で閉塞板部に、他端でカムスライドに夫々接していると共にロッドを隙間をもって取り巻いて配されているコイルばねを有している請求項１から５のいずれか一項に記載のカム装置。
【請求項７】
カムドライバは、カムドライバ支持基台に固定的に支持されるようになっており、カムスライドは、カムドライバの滑り面に移動自在に接するように、当該滑り面と相補的な形状の滑り面を有しており、支持手段は、カムスライドの滑り面とカムドライバの滑り面との接触により、カムドライバの滑り面に案内されてカムスライドが移動し得るように、当該カムスライドを移動自在に支持するようになっている請求項１から６のいずれか一項に記載のカム装置。
【発明の詳細な説明】
【技術分野】
【０００１】
本発明は、カムドライバによりカムスライドを滑動させて、カムスライドに装着された工具により薄板等の被加工物に孔明け、折り曲げ等の加工を施すカム装置に関する。
【背景技術】
【０００２】
【特許文献１】特開２００３−２６０５２６号公報
【０００３】
例えば特許文献１においては、両端部がカムスライド支持基台に支持されているロッドに滑動自在に片持ち支持されると共に、上部がカムスライド支持基台に滑板を介して抱え込まれるように滑動自在に支持されるカムスライドを有したカム装置が提案されている。
【発明の開示】
【発明が解決しようとする課題】
【０００４】
ところで、斯かるカム装置では、カムスライドがロッドに対して片持ち支持されているために、カム装置の作動時にカムスライドがその移動すべき方向に対して（ロッドの長手方向に対して）揺動する虞があり、而して、カムスライドに装着された工具による加工精度の向上を図ることが困難である。
【０００５】
また、斯かるカム装置では、カムスライドの上部がカムスライド支持基台に滑板を介して抱え込まれるように滑動自在に支持されるために、カムスライドの移動に対して大きな抵抗力が生じる虞があり、また、カムスライドを初期位置に復帰させる弾性付勢部材等からなる復帰手段を具備している場合には、当該復帰手段によるカムスライドの初期位置への復帰力も前記抵抗力によって減殺されてしまう虞があり、而して、カムスライドの円滑な移動が阻害される場合がある。
【０００６】
本発明は、前記諸点に鑑みてなされたものであり、その目的とするところは、カムスライドに装着された工具による加工精度の向上を図ることができると共にカムスライドを円滑に移動させることができるカム装置を提供することにある。
【課題を解決するための手段】
【０００７】
本発明のカム装置は、カムドライバと、このカムドライバに接して移動されるようになっていると共に後方に位置する小径孔及びこの小径孔に連通していると共に小径孔よりも前方に位置している大径孔が形成されているカムスライドと、このカムスライドがカムドライバに接して移動されるようにカムスライドを移動自在に支持する支持手段と、この支持手段に移動自在に支持されたカムスライドを当該カムスライドの初期位置に復帰させるように弾性的に付勢する弾性付勢部材とを具備しており、支持手段は、カムスライドの移動方向に伸びて大径孔に部分的に挿入されていると共に当該大径孔に挿入されている部位でカムスライドの前部を滑動自在に支持している筒状部及びこの筒状部の前端部を閉塞していると共に貫通孔が形成されている閉塞板部を有している筒状部材と、カムスライドの移動方向に伸びて小径孔、大径孔、筒状部の中空部及び閉塞板部の貫通孔に挿通されており、小径孔に挿通されている部位でカムスライドの後部を滑動自在に支持していると共に貫通孔に挿通されている部位で筒状部材を支持しているロッドと、閉塞板部から前方に突出しているロッドの前端部が装着されている前壁部及び小径孔から後方に突出しているロッドの後端部が装着されている後壁部を有しているカムスライド支持基台とを具備している。
【０００８】
本発明のカム装置によれば、特に、支持手段は、カムスライドの移動方向に伸びて大径孔に部分的に挿入されていると共に当該大径孔に挿入されている部位でカムスライドの前部を滑動自在に支持している筒状部及びこの筒状部の前端部を閉塞していると共に貫通孔が形成されている閉塞板部を有している筒状部材と、カムスライドの移動方向に伸びて小径孔、大径孔、筒状部の中空部及び閉塞板部の貫通孔に挿通されており、小径孔に挿通されている部位でカムスライドの後部を滑動自在に支持していると共に貫通孔に挿通されている部位で筒状部材を支持しているロッドと、閉塞板部から前方に突出しているロッドの前端部が装着されている前壁部及び小径孔から後方に突出しているロッドの後端部が装着されている後壁部を有しているカムスライド支持基台とを具備しているために、ロッド及び筒状部材によりカムスライドの前部及び後部を両持ち支持することができて、カム装置の作動時にカムスライドがその移動すべき方向に対して（ロッドの長手方向に対して）揺動する虞をなくし得、カムスライドの上部をカムスライド支持基台に滑板を介して抱え込むように滑動自在に支持する構成を省き得て、カムスライドの移動に対する抵抗力を低減させることができ、また、カムスライドを初期位置に復帰させるように弾性的に付勢する弾性付勢部材によるカムスライドの付勢に対する抵抗力も低減させることができ、而して、カムスライドに装着された工具による加工精度の向上を図ることができると共にカムスライドを円滑に移動させることができる。
【０００９】
本発明のカム装置の好ましい例では、閉塞板部は、前壁部に接触又は固定されるようになっている。この例によれば、筒状部材を更に確実に支持することができ、而して、カムスライドをより円滑に且つ確実に滑動自在に支持することができる。
【００１０】
本発明のカム装置の好ましい例では、筒状部の外周面は、大径孔においてカムスライドの前部を滑動自在に支持するようになっている。
【００１１】
本発明のカム装置の好ましい例では、ロッドの前端部は、カムスライド支持基台の前壁部に挿抜自在に嵌装されており、ロッドの後端部は、カムスライド支持基台の後壁部に着脱自在に装着されている。この例によれば、ロッドをカムスライド支持基台から容易に取り外すことができると共にカムスライド及び筒状部材から容易に抜出することができて、カム装置自体の保守、点検、部品交換を簡単に行い得る。
【００１２】
本発明のカム装置の好ましい例では、弾性付勢部材は、筒状部の中空部及びカムスライドの大径孔に配されている。この例によれば、弾性付勢部材及び筒状部材の設置領域を減少させることができて、カム装置の小型化を図り得る。
【００１３】
本発明のカム装置の好ましい例では、弾性付勢部材は、筒状部の内径よりも小さい外径を有していると共にロッドの径よりも大きな内径を有しており、一端で閉塞板部に、他端でカムスライドに夫々接していると共にロッドを隙間をもって取り巻いて配されているコイルばねを有している。この例によれば、コイルばねが筒状部に接して過度の抵抗力を生じないように且つ当該コイルばねがロッドに接して過度の抵抗力を生じないように、コイルばねを弾性的に伸縮させ得、而して、カムスライドに初期位置に向かう一定の復帰力を生じさせることができる。
【００１４】
本発明のカム装置の好ましい例では、カムドライバは、カムドライバ支持基台に固定的に支持されるようになっており、カムスライドは、カムドライバの滑り面に移動自在に接するように、当該滑り面と相補的な形状の滑り面を有しており、支持手段は、カムスライドの滑り面とカムドライバの滑り面との接触により、カムドライバの滑り面に案内されてカムスライドが移動し得るように、当該カムスライドを移動自在に支持するようになっている。
【発明の効果】
【００１５】
本発明によれば、カムスライドに装着された工具による加工精度の向上を図ることができると共にカムスライドを円滑に移動させることができるカム装置を提供し得る。
【発明を実施するための最良の形態】
【００１６】
次に、本発明の実施の形態の例を、図に示す例に基づいて更に詳細に説明する。尚、本発明はこれら例に何等限定されないのである。
【実施例】
【００１７】
図１から図４において、本例の吊りカムタイプのカム装置１は、カムドライバ支持基台２に固定的に支持されるようになっているカムドライバ３と、カムドライバ３に接してＸ及びＹ方向に移動されるようになっていると共にＸ及びＹ方向において後方に位置する小径孔４及び小径孔４に連通していると共にＸ及びＹ方向において小径孔４よりも前方に位置している大径孔５が形成されているカムスライド６と、カムスライド６がカムドライバ３に接してＸ及びＹ方向に移動されるようにカムスライド６をＸ及びＹ方向に移動自在に支持する支持手段７と、支持手段７に移動自在に支持されたカムスライド６を当該カムスライド６の初期位置（図１に示す位置）に復帰させるようにＹ方向に向かって弾性的に付勢する弾性付勢部材８とを具備している。
【００１８】
カムドライバ３は、カムドライバ支持基台２にボルト等により固定された基台本体１１と、基台本体１１の傾斜上面１２に一体的に形成された突起部１３と、突起部１３に逆Ｖ字状になって設けられている滑り面１４とを具備している。
【００１９】
カムスライド６は、小径孔４及び大径孔５が形成されたカムスライド本体２１と、カムスライド支持基台４８の基部４７に滑り接触するようにカムスライド本体２１の上面２２に埋め込みボルト等により取り付けられた滑板２３と、カムスライド本体２１の傾斜下面２４に一体的に形成された二股突起部２５と、突起部２５に逆Ｖ字状になって設けられている滑り面２６とを具備している。カムスライド本体２１の前面２７には、刃工具等の工具がボルト等を介して取り付けられるようになっている。カムスライド６の滑り面２６は、カムドライバ３の滑り面１４に移動自在に接触するように、滑り面１４に対して相補的な形状を有している。小径孔４は、カムスライド本体２１の後面２８で開口しており、大径孔５は、カムスライド本体２１の前面２７の上部で開口している。カムスライド本体２１の大径孔５を画成している画成面５１の前面２７側の部位には、筒状部３３に滑接する軸受９１が嵌着されている。カムスライド本体２１の小径孔４を画成している画成面５４には、ロッド４２に滑接する軸受９２が嵌着されている。
【００２０】
支持手段７は、Ｘ及びＹ方向に伸びて大径孔５に部分的に挿入されていると共に当該大径孔５に挿入されている部位３１でカムスライド６の前部３２をＸ及びＹ方向に滑動自在に支持している筒状部３３及び筒状部３３の前端部を閉塞していると共に貫通孔３５が形成されている閉塞板部３６を有している筒状部材３７と、Ｘ及びＹ方向に伸びて小径孔４、大径孔５、筒状部３３の中空部３８及び閉塞板部３６の貫通孔３５に挿通されており、小径孔４に挿通されている部位３９でカムスライド６の後部４０をＸ及びＹ方向に滑動自在に支持していると共に貫通孔３５に挿通されている部位４１で筒状部材３７を支持しているロッド４２と、閉塞板部３６から前方に突出しているロッド４２の前端部４３が装着されている前壁部４４、小径孔４から後方に突出しているロッド４２の後端部４５が装着されている後壁部４６並びに前壁部４４及び後壁部４６が設けられている基部４７を有しているカムスライド支持基台４８とを具備している。
【００２１】
大径孔５を画成しているカムスライド本体２１の画成面５１と相補的な形状を有した筒状部３３の外周面５２は、大径孔５においてカムスライド６の前部３２をＸ及びＹ方向に滑動自在に支持するようになっている。筒状部３３は、大径孔５に応じた形状からなり、本例では円柱状の大径孔５に応じた円筒形状からなる。
【００２２】
円筒形状の筒状部３３の前端部を閉塞している閉塞板部３６は、円板形状であり、カムスライド支持基台４８の前壁部４４に接触又はボルト、係止機構等により解除自在に固定されるようになっている。閉塞板部３６の中心には、ロッド４２が挿通される貫通孔３５が設けられている。
【００２３】
小径孔４を画成しているカムスライド本体２１の画成面５４及び貫通孔３５を画成している閉塞板部３６の画成面５５と相補的な形状を有したロッド４２の外周面５６は、小径孔４においてカムスライド６の後部４０を、貫通孔３５において筒状部材３７を夫々Ｘ及びＹ方向に滑動自在に支持している。ロッド４２の前端部４３は、Ｘ及びＹ方向においてカムスライド支持基台４８の前壁部４４に挿抜自在に嵌装されている。ロッド４２の後端部４５には、ボルト６０が挿通される孔６１が形成されており、この孔６１を介してカムスライド支持基台４８の後壁部４６に着脱自在に装着されるようになっている。
【００２４】
カムスライド支持基台４８の前壁部４４、後壁部４６及び基部４７は、カムスライド６の上部がＸ及びＹ方向に移動自在に配される空所６７を画成している。基部４７は、油圧ラム等に取り付けられる基盤６６にボルト等により固着されており、基部４７の底面６５には滑板６８が固着されており、滑板６８の表面６９には、滑板２３が滑り接触しており、滑板６８の表面６９でカムスライド６の前記回転方向における回転を禁止している。前壁部４４には、ロッド４２の前端部４３が嵌装される溝７１が形成されている。後壁部４６には、ロッド４２の後端部４５が配される凹所又は孔、本例では凹所７２が形成されている。後壁部４６の凹所７２には、ボルト６０及び支持板７３を介してロッド４２の後端部４５が装着されるようになっている。尚、ロッド４２の後端部４５は、ボルト６０を緩めて当該ボルト６０及び支持板７３を除去することにより後壁部４６から取り外すことが可能である。
【００２５】
斯かる支持手段７は、カムスライド６の滑り面２６とカムドライバ３の滑り面１４との接触により、カムドライバ３の滑り面１４に案内されてカムスライド６が移動し得るように、当該カムスライド６を移動自在に支持するようになっている。カムスライド６は、カムスライド支持基台４８にロッド４２及び筒状部材３７を介して吊り下げられている。
【００２６】
弾性付勢部材８は、筒状部３３の内径よりも小さい外径を有していると共にロッド４２の径よりも大きな内径を有しており、一端で閉塞板部３６に、他端でカムスライド６に夫々接していると共に筒状部３３の中空部３８及びカムスライド６の大径孔５においてロッド４２を隙間をもって取り巻いて配されているコイルばね８１を有している。コイルばね８１は、カムスライド本体２１を後壁部４６側に向かってＹ方向に付勢している。
【００２７】
以上のカム装置１では、図１に示す初期位置にカムスライド６が復帰された状態で油圧ラムが作動されて、基盤６６と共にカムスライド支持基台４８がＤ方向に下降されると、カムスライド６は、その滑り面２６のカムドライバ３の滑り面１４への接触により、図４に示すようにＸ方向に移動され、而して、カムスライド本体２１の前面２７に取り付けられた工具（図示せず）で、例えば折り曲げの加工を施すようになっている。
【００２８】
前記加工後、カム装置１では、油圧ラムが逆作動されて、基盤６６と共にカムスライド支持基台４８がＵ方向に上昇されると、カムスライド６は、その滑り面２６のカムドライバ３の滑り面１４への接触解除と共に、コイルばね８１の弾性付勢力により図１に示すようにＹ方向に移動されて、初期位置に復帰されるようになっている。
【００２９】
本例のカム装置１によれば、カムドライバ３と、カムドライバ３に接して移動されるようになっていると共に後方に位置する小径孔４及び小径孔４に連通していると共に小径孔４よりも前方に位置している大径孔５が形成されているカムスライド６と、カムスライド６がカムドライバ３に接して移動されるようにカムスライド６を移動自在に支持する支持手段７と、支持手段７に移動自在に支持されたカムスライド６を当該カムスライド６の初期位置に復帰させるように弾性的に付勢する弾性付勢部材８とを具備しており、支持手段７は、カムスライド６の移動方向に伸びて大径孔５に部分的に挿入されていると共に当該大径孔５に挿入されている部位３１でカムスライド６の前部３２を滑動自在に支持している筒状部３３及び筒状部３３の前端部を閉塞していると共に貫通孔３５が形成されている閉塞板部３６を有している筒状部材３７と、カムスライド６の移動方向に伸びて小径孔４、大径孔５、筒状部３３の中空部３８及び閉塞板部３６の貫通孔３５に挿通されており、小径孔４に挿通されている部位３９でカムスライド６の後部４０を滑動自在に支持していると共に貫通孔３５に挿通されている部位４１で筒状部材３７を支持しているロッド４２と、閉塞板部３６から前方に突出しているロッド４２の前端部４３が装着されている前壁部４４及び小径孔４から後方に突出しているロッド４２の後端部４５が装着されている後壁部４６を有しているカムスライド支持基台４８とを具備しているために、ロッド４２及び筒状部材３７によりカムスライド６の前部３２及び後部４０を両持ち支持することができて、カム装置１の作動時にカムスライド６がその移動すべき方向に対して（ロッドの長手方向に対して）揺動する虞をなくし得、カムスライド６の上部をカムスライド支持基台４８に滑板を介して抱え込むように滑動自在に支持する構成を省き得て、カムスライド６の移動に対する抵抗力を低減させることができ、また、カムスライド６を初期位置に復帰させるように弾性的に付勢する弾性付勢部材８によるカムスライド６の付勢に対する抵抗力も低減させることができ、而して、カムスライド６に装着された工具による加工精度の向上を図ることができると共にカムスライド６を円滑に移動させることができる。
【００３０】
カム装置１によれば、閉塞板部３６は、前壁部４４に接触又は固定されるようになっているために、筒状部材３７を更に確実に支持することができ、而して、カムスライド６をより円滑に且つ確実に滑動自在に支持することができる。
【００３１】
カム装置１によれば、ロッド４２の前端部４３は、カムスライド支持基台４８の前壁部４４に挿抜自在に嵌装されており、ロッド４２の後端部４５は、カムスライド支持基台４８の後壁部４６に着脱自在に装着されているために、ロッド４２をカムスライド支持基台４８から容易に取り外すことができると共にカムスライド６及び筒状部材３７から容易に抜出することができて、カム装置自体の保守、点検、部品交換を簡単に行い得る。
【００３２】
カム装置１によれば、弾性付勢部材８は、筒状部３３の中空部３８及びカムスライド６の大径孔５に配されているために、弾性付勢部材８及び筒状部材３７の設置領域を減少させることができて、カム装置１の小型化を図り得る。
【００３３】
弾性付勢部材８は、筒状部３３の内径よりも小さい外径を有していると共にロッド４２の径よりも大きな内径を有しており、一端で閉塞板部３６に、他端でカムスライド６に夫々接していると共にロッド４２を隙間をもって取り巻いて配されているコイルばね８１を有しているために、コイルばね８１が筒状部３３に接して過度の抵抗力を生じないように且つ当該コイルばね８１がロッド４２に接して過度の抵抗力を生じないように、コイルばね８１を弾性的に伸縮させ得、而して、カムスライド６に初期位置に向かう一定の復帰力を生じさせることができる。
【００３４】
本例のカム装置１の筒状部材３７は、例えば大径孔５が多角形状（四角形状、五角形状、六角形状等を含む）である場合には、筒状部３３に代えて、当該大径孔５の多角形状に応じた中央多角形状からなる筒状部を有していてもよく、斯かる場合であって閉塞板部３６がカムスライド支持基台４８の前壁部４４に固定されている場合には、筒状部材３７は、カムスライド６がロッド４２を中心とした回転方向に回転されないように当該カムスライド６を支持し得るので、カムスライド本体２１の上面２２がカムスライド支持基台４８の基部４７に接触しないようにカムスライド６から滑板２３を省いて、カムスライド６のＸ及びＹ方向の移動の際に生じる抵抗力を更に低減させ得る。
【００３５】
また、本例のカム装置１の支持手段７は、例えば小径孔４及び貫通孔３５が多角形状（四角形状、五角形状、六角形状等を含む）である場合には、ロッド４２に代えて、当該小径孔４及び貫通孔３５の多角形状に応じた多角形状を有したロッドを有していてもよく、斯かる場合であって当該ロッドがカムスライド支持基台４８の前壁部４４及び後壁部４６にロッドを中心とした回転方向に回転されないように装着されている場合には、当該ロッドは、カムスライド６が前記回転方向に回転されないように当該カムスライド６を支持し得るので、カムスライド本体２１の上面２２がカムスライド支持基台４８の基部４７に接触しないようにカムスライド６から滑板２３を省いて、カムスライド６のＸ及びＹ方向の移動の際に生じる抵抗力を更に低減させ得る。
【図面の簡単な説明】
【００３６】
【図１】本発明の実施の形態の好ましい例の一部断面説明図である。
【図２】図１に示す例のＩＩ−ＩＩ線矢視説明図である。
【図３】図１に示す例の主に筒状部材がカムスライドに接している部分の断面説明図である。
【図４】図１に示す例の動作説明図である。
【符号の説明】
【００３７】
１  カム装置
２  カムドライバ支持基台
３  カムドライバ
４  小径孔
５  大径孔
６  カムスライド
７  支持手段
８  弾性付勢部材
３１、３９、４１  部位
３２  前部
３３  筒状部
３５  貫通孔
３６  閉塞板部
３７  筒状部材
３８  中空部
４０  後部
４２  ロッド
４３  前端部
４４  前壁部
４５  後端部
４６  後壁部
４７  基部
４８  カムスライド支持基台
【図１】
2006095560.tif 000003
【図２】
2006095560.tif 000004
【図３】
2006095560.tif 000005
【図４】
2006095560.tif 000006